(57)【特許請求の範囲】
【請求項１】
トレッド部にベルト層が設けられると共に、前記トレッド部からショルダー部及びサイドウォール部を介してビード部まで延在して該ビード部におけるタイヤ幅方向内側からタイヤ幅方向外側に折り返されて前記ベルト層まで延設される一層のカーカス層が設けられた空気入りタイヤにおいて、
前記ビード部は、タイヤ周方向にリング形状をなすビードコアのタイヤ径方向外側にビードフィラーが配設されて構成されると共に、該ビードフィラーにおけるタイヤ径方向高さが１０ｍｍ以下に設定され、
前記ビード部におけるタイヤ幅方向内側からタイヤ幅方向外側に折り返される補強層が設けられ、該補強層は引張弾性率が７ＧＰａ以上の高弾性有機繊維から構成され、
前記ベルト層のタイヤ幅方向外側にベルトクッションが配設され、前記カーカス層の端部が該ベルトクッションよりタイヤ径方向内側に配置されることを特徴とする空気入りタイヤ。
【請求項２】
請求項１に記載の空気入りタイヤにおいて、前記ビードフィラーは、ＪＩＳ−Ａ硬度が６５〜８０に設定されることを特徴とする空気入りタイヤ。
【請求項３】
請求項１または２に記載の空気入りタイヤにおいて、前記補強層は、引張弾性率が１５０ＧＰａ以下の高弾性有機繊維から構成されることを特徴とする空気入りタイヤ。
【請求項４】
請求項１から３のいずれか一つに記載の空気入りタイヤにおいて、前記補強層におけるタイヤ径方向高さは、ビードベースラインからトレッド面までのタイヤ径方向最大高さの２０％〜４０％に設定されることを特徴とする空気入りタイヤ。
【請求項５】
請求項１から４のいずれか一つに記載の空気入りタイヤにおいて、前記補強層は、芳香族ポリアミド繊維により形成され、該芳香族ポリアミド繊維の太さが３２００ｄｔｅｘ〜３５００ｄｔｅｘに設定されると共に、前記芳香族ポリアミド繊維がタイヤ周方向に対して５５度〜６５度の角度で配設されることを特徴とする空気入りタイヤ。
【請求項６】
請求項５に記載の空気入りタイヤにおいて、前記補強層は、前記芳香族ポリアミド繊維の配設方向に直行する断面にて、前記芳香族ポリアミド繊維の配列方向における５０ｍｍ範囲当たりに２５本〜３５本の芳香族ポリアミド繊維が配列されることを特徴とする空気入りタイヤ。
【請求項７】
請求項１から６のいずれか一つに記載の空気入りタイヤにおいて、前記補強層は、前記ビード部におけるタイヤ幅方向内側からタイヤ幅方向外側に折り返され、前記カーカス層は、該補強層の外側で前記ビード部におけるタイヤ幅方向内側からタイヤ幅方向外側に折り返され、端部が前記ベルト層のタイヤ径方向内側まで延設されることを特徴とする空気入りタイヤ。
【請求項８】
請求項７に記載の空気入りタイヤにおいて、前記カーカス層は、タイヤ幅方向における一方の端部及び他方の端部が、前記ベルト層のタイヤ幅方向における一方の端部及び他方の端部とタイヤ径方向で重なって配置され、その重なり代がタイヤ幅方向における一方と他方で相違することを特徴とする空気入りタイヤ。
【請求項９】
請求項１から８のいずれか一つに記載の空気入りタイヤにおいて、前記ベルトクッションは、前記ショルダー部から前記サイドウォール部まで延設され、タイヤ幅方向における最小厚さが３．５ｍｍ〜６．０ｍｍに設定されることを特徴とする空気入りタイヤ。
【請求項１０】
請求項９に記載の空気入りタイヤにおいて、前記ベルトクッションは、ＪＩＳ−Ａ硬度が４８〜６０に設定されることを特徴とする空気入りタイヤ。
【請求項１１】
請求項１から１０のいずれか一つに記載の空気入りタイヤにおいて、タイヤ総幅に対するタイヤ接地幅の比率は、７５％〜９０％に設定されることを特徴とする空気入りタイヤ。
【請求項１２】
請求項１から１１のいずれか一つに記載の空気入りタイヤにおいて、ビードベースラインからトレッド面までのタイヤ径方向最大高さは、６５ｍｍ〜１５０ｍｍに設定されることを特徴とする空気入りタイヤ。
【請求項１３】
請求項１から１２のいずれか一つに記載の空気入りタイヤにおいて、タイヤ断面方向の呼び幅は、２５５インチ以上に設定されることを特徴とする空気入りタイヤ。
【発明の詳細な説明】
【技術分野】
【０００１】
本発明は、トレッド部、ショルダー部、サイドウォール部、ビード部からなる空気入りタイヤに関し、特に、ビード部の補強構造に関するするものである。
【背景技術】
【０００２】
一般的な空気入りタイヤは、トレッド部とショルダー部とサイドウォール部とビード部からなり、トレッド部にタイヤの骨格を形成するカーカス層が配置され、このカーカス層の外側にベルト層が配置されると共に、その外側にベルトカバーが配置されている。また、ビード部にて、ビードワイヤが巻き付けられてリング形状をなすビードコアが形成され、このビードコアの外周側にビードフィラーが配設されると共に、ビードコアの周囲に上述したカーカス層の端部がタイヤ内側から外側に折り返して装架されている。
【０００３】
ところで、近年、デザイン性や操縦安定性などを向上する目的で、タイヤサイズを大きくすることが好まれている。特に、ＳＵＶ（Sport Utility Vehicle）と呼ばれる車両では、大きな車体における操縦安定性や高い旋回性能を確保する一方で、デザイン性を重視する必要があることから、大きなサイズのタイヤを装着する傾向にある。
【０００４】
ところが、車両に装着するタイヤのサイズを大きくすると、バネ下重量が増大してしまうという問題がある。即ち、タイヤは、サスペンション（懸架装置）を介して車体に指示されており、ここで言うバネ下とは、サスペンション、タイヤ、ホイール、ブレーキ、アームなどの車両の足廻り以下の可動部分を指しており、バネ下重量とは、この可動部分の重量である。このバネ下重量が軽くなると、ショックにおける路面での追従性がよくなり、慣性の影響を最低限にすることで、タイヤはより俊敏に路面の凹凸に追従し、サスペンションはこの凹凸を正確に吸収することができる。一方、このバネ下重量が重くなってしまうと、ショックに対して柔軟に動かず、路面の凹凸状態が本体にまで影響し、乗り心地が悪化してしまうだけでなく、タイヤの耐久性が低下してしまう。
【０００５】
そこで、タイヤの剛性を高めることでバネ下重量の増大を抑制し、良好な乗り心地と十分な耐久性を確保するようにしたものが各種提案されている。例えば、下記特許文献１に記載された空気入りラジアルタイヤは、トレッド部からサイドウォール部を経てビード部のビードコアに至るカーカスとして、ハイターンアッププライ及びセミターンアッププライを設けると共に、ビードエーペックスに沿ってタイヤ半径方向にのびるコード補強層を設けたものである。また、下記特許文献２に記載された高性能空気入りタイヤは、二層構造のカーカス層と、フォールドベルト及びカットエンドベルトからなるベルト層を設けると共に、ビードコア及びビードエーペックスを包み上げる構造のビード補強層を設け、このビード補強層の各コードを所望の引張り弾性率を持つ有機繊維コードとし、各プライの端部を適正配置するものである。
【０００６】
【特許文献１】特開２００４−３５２１７４号公報
【特許文献２】特開平０８−３１８７０５号公報
【発明の開示】
【発明が解決しようとする課題】
【０００７】
ところが、上述した従来の特許文献１に記載された空気入りラジアルタイヤでは、コード補強層がビード部を構成するビードエーペックスのタイヤ幅方向の外側にタイヤ半径方向に沿って設けられており、ビード部の剛性アップという点では不十分であり、また、ビードエーペックスにおける径方向高さが大きいことから、軽量化が困難となる。また、従来の特許文献２に記載された高性能空気入りタイヤでは、ビード補強層がビードコア及びビードエーペックスを包み上げるように設けられており、ビード部を剛性アップ可能であるものの、ビードエーペックスにおける径方向高さが大きいことから、軽量化が困難となると共に、このビードエーペックスの硬度が高いとクラックが発生しやすく耐久性が低下してしまう。更に、ビードコア及びビードエーペックスを包み上げたビード補強層の端部がベルト層の端部に近接するように伸びていることから、サイドウォール部での衝撃吸収が不十分となり、この衝撃がビード補強層に作用して亀裂などが発生しやすく耐久性が低下してしまう。
【０００８】
本発明は、このような問題を解決するためのものであって、軽量化及び耐久性の向上を図った空気入りタイヤを提供することを目的とする。
【課題を解決するための手段】
【０００９】
上述した課題を解決し、目的を達成するために、請求項１の発明の空気入りタイヤは、トレッド部にベルト層が設けられると共に、前記トレッド部からショルダー部及びサイドウォール部を介してビード部まで延在して該ビード部におけるタイヤ幅方向内側からタイヤ幅方向外側に折り返されて前記ベルト層まで延設される一層のカーカス層が設けられた空気入りタイヤにおいて、前記ビード部は、タイヤ周方向にリング形状をなすビードコアのタイヤ径方向外側にビードフィラーが配設されて構成されると共に、該ビードフィラーにおけるタイヤ径方向高さが１０ｍｍ以下に設定され、前記ビード部におけるタイヤ幅方向内側からタイヤ幅方向外側に折り返される補強層が設けられ、該補強層は引張弾性率が７ＧＰａ以上の高弾性有機繊維から構成され、前記ベルト層のタイヤ幅方向外側にベルトクッションが配設され、前記カーカス層の端部が該ベルトクッションよりタイヤ径方向内側に配置されることを特徴とするものである。
【００１０】
請求項２の発明の空気入りタイヤでは、前記ビードフィラーは、ＪＩＳ−Ａ硬度が６５〜８０に設定されることを特徴としている。
【００１１】
請求項３の発明の空気入りタイヤでは、前記補強層は、引張弾性率が１５０ＧＰａ以下の高弾性有機繊維から構成されることを特徴としている。
【００１２】
請求項４の発明の空気入りタイヤでは、前記補強層におけるタイヤ径方向高さは、ビードベースラインからトレッド面までのタイヤ径方向最大高さの２０％〜４０％に設定されることを特徴としている。
【００１３】
請求項５の発明の空気入りタイヤでは、前記補強層は、芳香族ポリアミド繊維により形成され、該芳香族ポリアミド繊維の太さが３２００ｄｔｅｘ〜３５００ｄｔｅｘに設定されると共に、前記芳香族ポリアミド繊維がタイヤ周方向に対して５５度〜６５度の角度で配設されることを特徴としている。
【００１４】
請求項６の発明の空気入りタイヤでは、前記補強層は、前記芳香族ポリアミド繊維の配設方向に直行する断面にて、前記芳香族ポリアミド繊維の配列方向における５０ｍｍ範囲当たりに２５本〜３５本の芳香族ポリアミド繊維が配列されることを特徴としている。
【００１５】
請求項７の発明の空気入りタイヤでは、前記補強層は、前記ビード部におけるタイヤ幅方向内側からタイヤ幅方向外側に折り返され、前記カーカス層は、該補強層の外側で前記ビード部におけるタイヤ幅方向内側からタイヤ幅方向外側に折り返され、端部が前記ベルト層のタイヤ径方向内側まで延設されることを特徴としている。
【００１６】
請求項８の発明の空気入りタイヤでは、前記カーカス層は、タイヤ幅方向における一方の端部及び他方の端部が、前記ベルト層のタイヤ幅方向における一方の端部及び他方の端部とタイヤ径方向で重なって配置され、その重なり代がタイヤ幅方向における一方と他方で相違することを特徴としている。
【００１８】
請求項９の発明の空気入りタイヤでは、前記ベルトクッションは、前記ショルダー部から前記サイドウォール部まで延設され、タイヤ幅方向における最小厚さが３．５ｍｍ〜６．０ｍｍに設定されることを特徴としている。
【００１９】
請求項１０の発明の空気入りタイヤでは、前記ベルトクッションは、ＪＩＳ−Ａ硬度が４８〜６０に設定されることを特徴としている。
【００２０】
請求項１１の発明の空気入りタイヤでは、タイヤ総幅に対するタイヤ接地幅の比率は、７５％〜９０％に設定されることを特徴としている。
【００２１】
請求項１２の発明の空気入りタイヤでは、ビードベースラインからトレッド面までのタイヤ径方向最大高さは、６５ｍｍ〜１５０ｍｍに設定されることを特徴としている。
【００２２】
請求項１３の発明の空気入りタイヤでは、タイヤ断面方向の呼び幅は、２５５インチ以上に設定されることを特徴としている。
【発明の効果】
【００２３】
請求項１の発明の空気入りタイヤによれば、トレッド部にベルト層を設けると共に、トレッド部からショルダー部及びサイドウォール部を介してビード部まで延在してビード部におけるタイヤ幅方向内側からタイヤ幅方向外側に折り返されてベルト層まで延設される一層のカーカス層を設け、ビード部をビードコアのタイヤ径方向外側にビードフィラーを配設して構成すると共に、ビードフィラーにおけるタイヤ径方向高さを１０ｍｍ以下に設定し、ビード部におけるタイヤ幅方向内側からタイヤ幅方向外側に折り返される補強層を設け、この補強層を引張弾性率が７ＧＰａ以上の高弾性有機繊維から構成している。従って、カーカス層を一層とすると共にビードフィラーのタイヤ径方向高さを１０ｍｍ以下に設定することで、軽量化を可能とすることができると共にクラックの発生を抑制することができ、また、補強層を引張弾性率が７ＧＰａ以上の高弾性有機繊維から構成してビード部を取り囲むことで、耐久性の向上を図ることができる。
また、ベルト層のタイヤ幅方向外側にベルトクッションを配設し、カーカス層の端部をベルトクッションよりタイヤ径方向内側に配置するので、カーカス層の端部をベルトクッションより適正に支持することができ、十分な剛性を確保することができる。
【００２４】
請求項２の発明の空気入りタイヤによれば、ビードフィラーのＪＩＳ−Ａ硬度を６５〜８０に設定するので、ビードフィラーの変形量を適正範囲とすることで、摩耗やクラックの発生を抑制することができ、耐久性を向上することができる。この場合、ビードフィラーのＪＩＳ−Ａ硬度が６５より小さいと、たわみ量が大きくなってライナ摩耗が発生しやすくなる一方、ビードフィラーのＪＩＳ−Ａ硬度が８０より大きいと、硬すぎてクラックが発生しやすくなる。
【００２５】
請求項３の発明の空気入りタイヤによれば、補強層を引張弾性率が１５０ＧＰａ以下の高弾性有機繊維から構成するので、補強層の引張弾性率を適正範囲とすることで、摩耗やクラックの発生を抑制することができ、耐久性を向上することができる。この場合、補強層の引張弾性率が７ＧＰａより小さいと、剛性が低すぎて摩耗を抑制できずに耐久性が不十分となる一方、補強層の引張弾性率が１５０ＧＰａより大きいと、剛性が高すぎてクラックが発生しやすく耐久性が不十分となる。
【００２６】
請求項４の発明の空気入りタイヤによれば、補強層におけるタイヤ径方向高さを、ビードベースラインからトレッド面までのタイヤ径方向最大高さの２０％〜４０％に設定するので、補強層におけるタイヤ径方向高さを適正範囲とすることで、摩耗やクラックの発生を抑制することができ、耐久性を向上することができる。この場合、補強層におけるタイヤ径方向高さをタイヤ径方向最大高さの２０％より低く設定すると、ビード部周辺の剛性が足りずに耐久性が不十分となる一方、補強層におけるタイヤ径方向高さをタイヤ径方向最大高さの４０％より高く設定すると、フレックスゾーンが狭くなって変形がベルト層や補強層に集中し、ここでクラックが発生しやすく耐久性が不十分となる。
【００２７】
請求項５の発明の空気入りタイヤによれば、補強層を芳香族ポリアミド繊維により形成し、この芳香族ポリアミド繊維の太さを３２００ｄｔｅｘ〜３５００ｄｔｅｘに設定すると共に、芳香族ポリアミド繊維をタイヤ周方向に対して５５度〜６５度の角度で配設するので、所定強度の補強層を設けることができる。
【００２８】
請求項６の発明の空気入りタイヤによれば、補強層にて、芳香族ポリアミド繊維の配列方向における５０ｍｍ範囲当たりに２５本〜３５本の芳香族ポリアミド繊維を配列するので、複数の芳香族ポリアミド繊維により所定の剛性を確保することができる。
【００２９】
請求項７の発明の空気入りタイヤによれば、補強層をビード部におけるタイヤ幅方向内側からタイヤ幅方向外側に折り返し、カーカス層をこの補強層の外側でビード部におけるタイヤ幅方向内側からタイヤ幅方向外側に折り返し、端部をベルト層のタイヤ径方向内側まで延設するので、ベルト層とカーカス層と補強層を適正位置に配置することで、タイヤ全体に十分な剛性を確保することができる。
【００３０】
請求項８の発明の空気入りタイヤによれば、カーカス層のタイヤ幅方向における端部と、ベルト層のタイヤ幅方向における端部をタイヤ径方向で重ねて配置し、その重なり代をタイヤ幅方向における一方と他方で相違するので、タイヤ外側とタイヤ内側で適正な硬度を確保することができる。
【００３２】
請求項９の発明の空気入りタイヤによれば、ベルトクッションをショルダー部からサイドウォール部まで延設し、タイヤ幅方向における最小厚さを３．５ｍｍ〜６．０ｍｍに設定するので、ベルトクッションの厚さを適正範囲とすることで、摩耗の発生を抑制することができると共に、軽量化を可能とすることができ、耐久性を向上することができる。この場合、ベルトクッションの厚さが３．５ｍｍより薄いと、たわみ量が大きくなってライナ摩耗が発生しやすくなる一方、ベルトクッションの厚さが６．０ｍｍより厚いと、重量が必要以上に増加して軽量化が困難となる。
【００３３】
請求項１０の発明の空気入りタイヤによれば、ベルトクッションのＪＩＳ−Ａ硬度を４８〜６０に設定するので、ベルトクッションの硬度を適正範囲とすることで、摩耗やクラックの発生を抑制することができ、耐久性を向上することができる。この場合、ベルトクッションのＪＩＳ−Ａ硬度が４０より小さいと、たわみ量が大きくなってライナ摩耗が発生しやすくなる一方、ベルトクッションのＪＩＳ−Ａ硬度が６０より大きいと、硬すぎてクラックが発生しやすくなる。
【００３４】
請求項１１の発明の空気入りタイヤによれば、タイヤ総幅に対するタイヤ接地幅の比率を７５％〜９０％に設定するので、タイヤ周方向の剛性を維持して十分な操縦安定性を確保することができると共に、縦ばね力を制限して乗心地を向上することができ、また、固有振動数を低減してロードノイズの発生を抑制することができる。
【００３５】
請求項１２の発明の空気入りタイヤによれば、ビードベースラインからトレッド面までのタイヤ径方向最大高さを６５ｍｍ〜１５０ｍｍに設定するので、耐久性を効果的に向上することができる。この場合、タイヤ径方向最大高さが６５ｍｍより小さいと、補強層の高さが絶対的な高さが小さくなって十分な耐久性の向上を図ることができず、タイヤ径方向最大高さが１５０ｍｍより大きいと、サイドウォール部の撓み量が大きくなってライナ摩耗が発生しやすくなる。
【００３６】
請求項１３の発明の空気入りタイヤによれば、タイヤ断面方向の呼び幅を２５５インチ以上に設定するので、軽量化及び耐久性の向上を効果的に図ることができる。
【発明を実施するための最良の形態】
【００３７】
以下に、本発明に係る空気入りタイヤの実施例を図面に基づいて詳細に説明する。なお、この実施例により本発明が限定されるものではない。
【実施例】
【００３８】
図１は、本発明の一実施例に係る空気入りタイヤを表すタイヤ幅方向の概略断面図、図２は、本実施例の空気入りタイヤにおける要部概略断面図である。
【００３９】
なお、以下の説明において、タイヤ幅方向とは、空気入りタイヤの回転軸と平行な方向であり、タイヤ幅方向内方とは、タイヤ幅方向において赤道面（赤道線）に向かう方向であり、タイヤ幅方向外方とは、タイヤ幅方向において赤道面（赤道線）に向かう方向の反対方向である。また、タイヤ径方向とは、空気入りタイヤの回転軸と直交する方向であり、タイヤ周方向とは、空気入りタイヤの回転軸を回転の中心として回転する方向である。更に、タイヤ内側とは、空気入りタイヤを正規リムにリム組みして車体に装着したとき、この車体の内側に位置する方向であり、タイヤ外側とは、このとき、車体の外側に位置する方向である。
【００４０】
本実施例において、図１及び図２に示すように、この空気入りタイヤ１１は、トレッド部Ａとその両側に連続するショルダー部Ｂとサイドウォール部Ｃとビード部Ｄから構成されている。そして、このトレッド部Ａは、タイヤ径方向の最も外側に形成されており、このトレッド部Ａの表面、即ち、この空気入りタイヤ１１を装着する車両（図示省略）が走行した場合に、路面と接触する面がトレッド面１２として形成されている。そして、このトレッド面１２には、赤道線Ｏ１に対して、タイヤ幅方向外側の所定位置に左右一対の接地端１３が設定されており、タイヤ総幅Ｗに対して、タイヤ接地端１３の間隔がタイヤ接地幅ＴＷとして設定されている。本実施例では、図１にて、左側がタイヤ外側であり、右側がタイヤ内側となっている。
【００４１】
ここで、タイヤ総幅Ｗ及びタイヤ接地幅ＴＷとは、空気入りタイヤ１１を正規リムにリム組みし、且つ、正規内圧を充填するとともに正規荷重をかけたときに、この空気入りタイヤ１１が路面と接地するときのタイヤ幅方向の幅である。ここで、正規リムとは、ＪＡＴＭＡで規定する「標準リム」、ＴＲＡで規定する「Design Rim」、あるいは、ＥＴＲＴＯで規定する「Measuring Rim」である。また、正規内圧とは、ＪＡＴＭＡで規定する「最高空気圧」、ＴＲＡで規定する「TIRE LOAD LIMITS AT VARIOUS COLD INFLATION PRESSURES」に記載の最大値、あるいはＥＴＲＴＯで規定する「INFLATION PRESSURES」である。また、正規荷重とは、ＪＡＴＭＡで規定する「最大負荷能力」、ＴＲＡで規定する「TIRE LOAD LIMITS AT VARIOUS COLD INFLATION PRESSURES」に記載の最大値、あるいはＥＴＲＴＯで規定する「LOAD CAPACITY」である。
【００４２】
カーカス層１４は、ゴムで被覆された繊維やスチールで形成されたコード層からなり、タイヤの骨格を形成するものであって、一層のカーカス層１４がトレッド部Ａの両側からショルダー部Ｂ及びサイドウォール部Ｃを介してビード部Ｄまで延出されている。そして、このカーカス層１４は、空気入りタイヤ１１に空気を充填した際に圧力容器としての役目を果たす強度メンバーであり、その内圧によって荷重を支え、走行中の動的荷重に耐える構造を持っている。
【００４３】
そして、トレッド部Ａにて、カーカス層１４のタイヤ径方向外側には、複数のベルトからなるベルト層１５が配置されると共に、その外側にベルトカバー１６が配置されている。このベルト層１５は、タイヤ周方向に貼り付けられた補強層であって、カーカス層１４を締め付けてトレッド剛性を高めると共に、衝撃を緩和してトレッドに生じた外傷がカーカス層１４に及ぶのを防止する。ベルトカバー１６は、振動を吸収して静粛性を高めると共に、高速安定性をもたらす。
【００４４】
このベルト層１５及びベルトカバー１６の外周側には、トレッドクッションゴム１７が積層体として配置されており、このトレッドクッションゴム１７の外周面にトレッド面１２が形成されている。また、トレッドクッションゴム１７に対して、タイヤ幅方向に連続してサイドクッションゴム１８が配置されており、このサイドクッションゴム１８は、ベルト層１５及びベルトカバー１６の端部からショルダー部Ｂ及びサイドウォール部Ｃの最も外側に配置され、トレッド面１２に生じた衝撃を吸収してカーカス層１４に伝達されるのを防止すると共に、ラジアルタイヤの場合には、車軸からの駆動力を路面に伝える補助的役割も担っている。
【００４５】
ビード部Ｄにて、ビードワイヤ１９はスチールワイヤであり、このビードワイヤ１９を連続して巻き付けてタイヤ周方向にリング形状をなすことでビードコア２０が形成されている。このビードコア２０は、空気入りタイヤ１１の内圧によって発生するカーカス層１４のコード張力を支えるものであって、空気入りタイヤ１１を図示しないホイールのリムに固定させる役割を果たし、また、カーカス層１４、ベルト層１５、ベルトカバー１６などと共に空気入りタイヤ１１の強度部材として機能する。
【００４６】
そして、カーカス層１４の端部がこのビードコア２０の周囲にタイヤ幅方向内側から外側に折り返され、このカーカス層１４とビードコア２０との空間にビードフィラー２１が充填されることで、ビード部Ｄが構成される。即ち、ビードフィラー２１は、ビードコア２０の外周側に配設されることで、カーカス層１４をビードコア２０に固定すると共に、その部分の形状を整え、ビード部Ｄ全体の剛性を高める。
【００４７】
このように構成された本実施例の空気入りタイヤ１１において、ビード部Ｄにおけるタイヤ幅方向内側からタイヤ幅方向外側に折り返されることで、ビードコア２０及びビードフィラー２１を取り囲む補強層３１が設けられている。そして、カーカス層１４が、この補強層３１の外側でビード部Ｄにおけるタイヤ幅方向内側からタイヤ幅方向外側に折り返されることで、ビードコア２０及びビードフィラー２１を取り囲むように配置されている。
【００４８】
補強層３１は、引張弾性率が７ＧＰａ以上で、且つ、１５０ＧＰａ以下の高弾性有機繊維から構成されている。また、この補強層３１におけるタイヤ径方向高さＦＨは、ビードベースラインからトレッド面１２までのタイヤ径方向最大高さ（セクション高さ）の２０％〜４０％に設定されている。この場合、補強層３１のタイヤ径方向高さＦＨは、ビードベースラインから補強層３１における折り返し部３１ｂのタイヤ径方向最外側位置までの距離である。
【００４９】
具体的に説明すると、補強層３１は、高弾性有機繊維として、例えば、芳香族ポリアミド繊維により形成されている。この芳香族ポリアミド繊維は、その太さを３２００ｄｔｅｘ（デシテックス）〜３５００ｄｔｅｘ（デシテックス）に設定することが好ましい。この場合、ｄｔｅｘ（デシテックス）は、繊維の太さを表す単位で、１０，０００ｍ当りのグラム数であり、通常「Ｔ」で表し、テックスは１，０００ｍ当たりのグラム数である。そして、この芳香族ポリアミド繊維は、空気入りタイヤ１１のタイヤ周方向に対して、５５度〜６５度の角度をもって配設される。また、芳香族ポリアミド繊維は、その配設方向に直行するタイヤ断面にて、芳香族ポリアミド繊維の配列方向における５０ｍｍ範囲当たりに２５本〜３５本の芳香族ポリアミド繊維を配列することが好ましい。なお、その他の高弾性有機繊維としては、例えば、ポリエチレンナフタレート（ＰＥＮ）がある。また、有機繊維コードの弾性率（ＧＰａ）は、タイヤを解体して有機繊維コードを採取し、ＪＩＳ  Ｌ−１０１７に準拠して、コード径の測定と引張試験を行って応力−ひずみ曲線を描き、１０Ｎと６７Ｎの点を結び、その直線の傾きを求めることで得ることができる。この測定は、コード２０本について行い、その平均値を有機繊維コードの弾性率としている。
【００５０】
そして、補強層３１は、サイドウォール部Ｃからビード部Ｄにおけるタイヤ幅方向内側まで延設された補強層本体３１ａと、この補強層本体３１ａの端部からタイヤ幅方向外側に折り返されてサイドウォール部Ｃまで延設された折り返し部３１ｂとを有し、折り返し部３１ｂの端部が補強層本体３１ａの端部よりタイヤ径方向外側に位置している。従って、この補強層３１は、ビード部Ｄを構成するビードコア２０及びビードフィラー２１を取り囲むように補強しており、折り返し部３１ｂの端部がサイドウォール部Ｃの所定の位置まで延設されている。
【００５１】
一方、カーカス層１４は、図示しない複数のカーカスコードがタイヤ周方向に対して略９０度の角度をもって配列され、外周部をゴムにより被覆されて構成されている。このカーカス層１４は、トレッド部Ａからショルダー部Ｂ及びサイドウォール部Ｃを介してビード部Ｄまで延設されたカーカス本体１４ａと、このカーカス本体１４ａの端部からタイヤ外側に折り返されてショルダー部Ｂまで延設された折り返し部１４ｂとを有し、折り返し部１４ｂの端部がベルト層１５のタイヤ径方向内側まで延設されている。
【００５２】
この場合、カーカス層１４は、タイヤ幅方向における一方の端部及び他方の端部、つまり、ビード部Ｄで折り返されてショルダー部Ｂまで延設された折り返し部１４ｂの各端部が、ベルト層１５のタイヤ幅方向における各端部とタイヤ径方向で重なって配置されている。即ち、カーカス層１４における一方の端部及び他方の端部が、ベルト層１５のタイヤ幅方向における一方の端部及び他方の端部におけるタイヤ幅方向の所定領域ＢＷ内に配置されている。そして、本実施例では、カーカス層１４における一方の端部とベルト層１５における一方の端部との重なり代ＢＷ１と、カーカス層１４における他方の端部とベルト層１５における他方の端部との重なり代ＢＷ２が相違しており、タイヤ外側の重なり代ＢＷ１がタイヤ内側の重なり代ＢＷ２よりも大きくなっている。即ち、タイヤ赤道線を中心として、タイヤ幅方向の一方と他方が非対称形状に構成されている。
【００５３】
従って、補強層３１がビードコア２０及びビードフィラー２１を取り囲むように配置され、カーカス層１４は、この補強層の外側で、ビードコア２０及びビードフィラー２１を取り囲むように補強し、端部がベルト層１５のタイヤ径方向内側まで延設している。
【００５４】
また、タイヤ周方向にリング形状をなすビードコア２０のタイヤ径方向外側にビードフィラー２１が配設されて構成されるが、このビードフィラー２１におけるタイヤ径方向高さＢＨが１０ｍｍ以下に設定されており、また、５ｍｍ以上に設定することが好ましい。この場合、ビードフィラー２１のタイヤ径方向高さＢＨは、ビードベースラインからビードフィラー２１におけるタイヤ径方向最外側位置までの距離である。更に、このビードフィラー２１は、このビードフィラー２１の室温におけるＪＩＳ  Ａ硬度（ＪＩＳ  Ｋ６２５３）Ｈｓが６５〜８０に設定されている。
【００５５】
また、上述したように、サイドウォール部Ｃにはサイドクッションゴム１８が設けられており、このサイドクッションゴム１８は、ベルト層１５のタイヤ幅方向外側に配置され、カーカス層１４の端部がこのサイドクッションゴム１８よりタイヤ径方向内側に配置されている。そして、このサイドクッションゴム１８は、ショルダー部Ｃからサイドウォール部Ｄまで延設され、タイヤ幅方向における最小厚さＴが３．５ｍｍ〜６．０ｍｍに設定されている。更に、このサイドクッションゴム１８は、サイドクッションゴム１８の室温におけるＪＩＳ  Ａ硬度（ＪＩＳ  Ｋ６２５３）Ｈｓが４８〜６０に設定されている。
【００５６】
なお、本実施例の空気入りタイヤ１１が適用されるタイヤサイズは、下記のものが望ましい。即ち、タイヤ総幅Ｗに対するタイヤ接地幅ＴＷの比率が、７５％〜９０％に設定されている。また、ビードベースラインからトレッド面１２までのタイヤ径方向最大高さＳＨが、６５ｍｍ〜１５０ｍｍに設定されている。更に、タイヤ断面方向の呼び幅が、２５５インチ以上に設定されている。
【００５７】
ここで、従来例と実施例とにおける荷重耐久性と軽量化について比較する。この場合、下記表１及び表２に示すように、従来例１の空気入りタイヤは、カーカス層の枚数が２枚で補強層がないもの、従来例２の空気入りタイヤは、カーカス層の枚数が１枚で補強層がないもの、従来例３の空気入りタイヤは、カーカス層の枚数が１枚でナイロン性の補強層があるもの、従来例４の空気入りタイヤは、カーカス層の枚数が１枚でポリアミド性の補強層があってビードフィラーがないものとしている。
【００５８】
一方、実施例１の空気入りタイヤ１１は、カーカス層の枚数が１枚でポリアミド性の補強層があってビードフィラーがあるものとしており、実施例２では、ビードフィラーの高さを変更し、実施例３、４では、ビードフィラーの硬度を変更し、実施例５では、補強層の引張弾性率を変更し、実施例６、７では、補強層の高さを変更し、実施例８、９では、サイドクッションゴムの硬度を変更し、実施例１０、１１では、サイドクッションゴムの厚さを変更している。
【００５９】
【表１】
0005104091.tif 000002
【００６０】
【表２】
0005104091.tif 000003
【００６１】
従来例と実施例を比較してみると、従来例１の空気入りタイヤにおける荷重耐久性と軽量化の評価を「１００」とすると、カーカス層の枚数が１枚で補強層がない従来例２の空気入りタイヤは、荷重耐久性が低下し、カーカス層の枚数が１枚でナイロン性の補強層がある従来例３の空気入りタイヤと、カーカス層の枚数が１枚でポリアミド性の補強層があってビードフィラーがない従来例４の空気入りタイヤは、荷重耐久性を上げることができない。
【００６２】
一方、カーカス層の枚数が１枚でポリアミド性の補強層があってビードフィラーがある実施例１の空気入りタイヤ１１は、荷重耐久性と軽量化の面で、従来例１の空気入りタイヤより優れている。また、ビードフィラーの高さ、ビードフィラーの硬度、補強層の引張弾性率、補強層の高さ、サイドクッションゴムの硬度、サイドクッションゴムの厚さを変更した各実施例であっても、荷重耐久性と軽量化の面で、従来例１の空気入りタイヤより優れている。
【００６３】
なお、上述した空気入りタイヤの荷重耐久性と軽量化の評価を実施するための条件及び方法は、下記のものとなっている。
１）タイヤサイズ
２５５／３０Ｒ２２  ９５Ｖ
２）リムサイズ
２２×９．０ＪＪ（標準リム）
３）試験条件
荷重耐久性−荷重を８８％から２７０％まで１３％ずつ所定時間ごとに増加させて行うものである。この場合、ドラム径をφ１７０７ｍｍ、速度８１ｋｍ／ｈ、空気圧２８０ｋｐａ、周囲温度３８±３℃に設定している。
軽量化−重量計測の逆数で評価
従来例１を「１００」として指数化
【００６４】
また、従来例と実施例とにおける荷重耐久性と軽量化に加え、操縦安定性、乗心地、静粛性について比較する。この場合、下記表３に示すように、従来例の空気入りタイヤは、接地幅／総幅比を０．９５とし、実施例１の空気入りタイヤ１１は、接地幅／総幅比を０．８７とし、実施例１２、１３では、接地幅／総幅比を変更している。
【００６５】
【表３】
0005104091.tif 000004
【００６６】
従来例と実施例を比較してみると、カーカス層の枚数が１枚でポリアミド性の補強層があってビードフィラーがある実施例１の空気入りタイヤ１１の構成で、接地幅／総幅比を適正値とすることで、操縦安定性を維持しながら、乗心地と静粛性が向上されている。この場合、操縦安定性及び乗心地の試験条件は、テストコースにて、熟練したドライバによる官能評価を指数化（１００）した値である。また、静粛性の試験条件は、テストコースを６０ｋｍ／ｈで走行中に、車内音を測定し、１００〜５００ＨＺのオーバーオール値の逆数を指数化（１００）した値である。
【００６７】
更に、従来例と実施例とにおける荷重寄与率と軽量化寄与率について比較する。この場合、下記表４に示すように、従来例の空気入りタイヤは、セクション高さを７６とし、タイヤ呼び幅を２５５とし、実施例１の空気入りタイヤ１１は、セクション高さを７６とし、実施例１４、１５では、セクション高さを変更し、実施例１６では、タイヤ呼び幅を変更している。
【００６８】
【表４】
0005104091.tif 000005
【００６９】
従来例と実施例を比較してみると、カーカス層の枚数が１枚でポリアミド性の補強層があってビードフィラーがある実施例１の空気入りタイヤ１１の構成で、セクション高さ及びタイヤ呼び幅を適正値とすることで、荷重寄与率と軽量化寄与率が向上されている。
【００７０】
このように本実施例の空気入りタイヤ１１にあっては、トレッド部Ａにベルト層１５を設けると共に、トレッド部Ａからショルダー部Ｂ及びサイドウォール部Ｃを介してビード部Ｄまで延在してビード部Ｄにおけるタイヤ幅方向内側からタイヤ幅方向外側に折り返されてベルト層１５まで延設される一層のカーカス層１４を設け、ビードコア２０のタイヤ径方向外側にビードフィラー２１を配設してビード部Ｄを構成すると共に、ビードフィラー２１におけるタイヤ径方向高さを１０ｍｍ以下に設定し、ビード部Ｄにおけるタイヤ幅方向内側からタイヤ幅方向外側に折り返される補強層３１を設け、この補強層３１の引張弾性率を７ＧＰａ以上の高弾性有機繊維から構成している。
【００７１】
従って、カーカス層１４を一層とすると共にビードフィラー２１のタイヤ径方向高さを１０ｍｍ以下に設定することで、軽量化を可能とすることができると共に、ビードフィラー２１におけるクラックの発生を抑制することができ、また、補強層を引張弾性率が７ＧＰａ以上の高弾性有機繊維から構成してビード部を取り囲むことで、耐久性の向上を図ることができる。
【００７２】
また、本実施例の空気入りタイヤ１１では、ビードフィラー２１のＪＩＳ−Ａ硬度を６５〜８０に設定している。従って、ビードフィラー２１の硬度、つまり、変形量を適正範囲とすることで、特に表１の実施例１〜４に示すように、ビードフィラー２１における摩耗やクラックの発生を抑制することができ、耐久性を向上することができる。この場合、ビードフィラー２１のＪＩＳ−Ａ硬度が６５より小さいと、たわみ量が大きくなってライナ摩耗、つまり、カーカス層１４とサイドクッションゴム１８との間のこすれが発生しやすくなる一方、ビードフィラー２１のＪＩＳ−Ａ硬度が８０より大きいと、硬すぎてビードフィラー２１におけるクラックが発生しやすくなる。
【００７３】
また、本実施例の空気入りタイヤ１１では、補強層３１を引張弾性率が７ＧＰａ以上で、且つ、１５０ＧＰａ以下の高弾性有機繊維から構成している。従って、補強層３１の引張弾性率を適正範囲とすることで、摩耗やクラックの発生を抑制することができ、耐久性を向上することができる。この場合、補強層３１の引張弾性率が７ＧＰａより小さいと、剛性が低すぎて摩耗を抑制できずに耐久性が不十分となる一方、補強層３１の引張弾性率が１５０ＧＰａより大きいと、剛性が高すぎてクラックが発生しやすくなり、耐久性が不十分となる。
【００７４】
また、本実施例の空気入りタイヤ１１では、補強層３１におけるタイヤ径方向高さを、ビードベースラインからトレッド面までのタイヤ径方向最大高さの２０％〜４０％に設定している。従って、補強層３１におけるタイヤ径方向高さを適正範囲とすることで、特に表１、２の実施例１〜７に示すように、摩耗やクラックの発生を抑制することができ、耐久性を向上することができる。この場合、補強層３１におけるタイヤ径方向高さをタイヤ径方向最大高さの２０％より低く設定すると、ビード部Ｄ周辺の剛性が足りずに耐久性が不十分となる一方、補強層３１におけるタイヤ径方向高さをタイヤ径方向最大高さの４０％より高く設定すると、フレックスゾーン、つまり、補強層３１とベルト層１５との間におけるサイドクッションゴム１８の領域が狭くなり、トレッド面１２に入力する衝撃を緩和できずに変形がベルト層１５や補強層３１に集中し、ここでクラックが発生しやすく耐久性が不十分となる。
【００７５】
この場合、補強層３１を芳香族ポリアミド繊維により形成し、この芳香族ポリアミド繊維の太さを３２００ｄｔｅｘ〜３５００ｄｔｅｘに設定すると共に、芳香族ポリアミド繊維をタイヤ周方向に対して５５度〜６５度の角度で配設することが好ましい。また、補強層３１にて、芳香族ポリアミド繊維の配列方向における５０ｍｍ範囲当たりに２５本〜３５本の芳香族ポリアミド繊維を配列することが好ましい。従って、複数の芳香族ポリアミド繊維により所定の剛性を確保することができ、所定強度の補強層３１を適正に設けることができる。
【００７６】
また、本実施例の空気入りタイヤ１１では、補強層３１をビード部Ｄにおけるタイヤ幅方向内側からタイヤ幅方向外側に折り返し、カーカス層１４をこの補強層３１の外側でビード部Ｄにおけるタイヤ幅方向内側からタイヤ幅方向外側に折り返し、端部をベルト層１５のタイヤ径方向内側まで延設している。従って、ベルト層１５とカーカス層１４と補強層３１を適正位置に配置することで、タイヤ全体に十分な剛性を確保することができる。
【００７７】
また、本実施例の空気入りタイヤ１１では、カーカス層１４のタイヤ幅方向における端部と、ベルト層１５のタイヤ幅方向における端部をタイヤ径方向で重ねて配置し、その重なり代をタイヤ幅方向における一方と他方で相違させている。従って、タイヤ外側とタイヤ内側で適正な硬度を確保することができる。
【００７８】
また、本実施例の空気入りタイヤ１１では、ベルト層１５のタイヤ幅方向外側にサイドクッションゴム１８を配設し、カーカス層１４の端部をサイドクッションゴム１８よりタイヤ径方向内側に配置している。従って、カーカス層１４の端部をサイドクッションゴム１８より適正に支持することができ、十分な剛性を確保することができる。
【００７９】
また、本実施例の空気入りタイヤ１１では、サイドクッションゴム１８をショルダー部Ｂからサイドウォール部Ｃまで延設し、タイヤ幅方向における最小厚さを３．５ｍｍ〜６．０ｍｍに設定している。従って、サイドクッションゴム１８の厚さを適正範囲とすることで、特に表１、２の実施例１〜１１に示すように、摩耗の発生を抑制することができると共に、軽量化を可能とすることができ、耐久性を向上することができる。この場合、サイドクッションゴム１８の厚さが３．５ｍｍより薄いと、たわみ量が大きくなってライナ摩耗が発生しやすくなる一方、サイドクッションゴム１８の厚さが６．０ｍｍより厚いと、重量が必要以上に増加して軽量化が困難となる。
【００８０】
また、本実施例の空気入りタイヤ１１では、サイドクッションゴム１８のＪＩＳ−Ａ硬度を４８〜６０に設定している。従って、サイドクッションゴム１８の硬度を適正範囲とすることで、特に表１、２の実施例１〜９に示すように、摩耗やクラックの発生を抑制することができ、耐久性を向上することができる。この場合、サイドクッションゴム１８のＪＩＳ−Ａ硬度が４０より小さいと、たわみ量が大きくなってライナ摩耗が発生しやすくなる一方、サイドクッションゴム１８のＪＩＳ−Ａ硬度が６０より大きいと、硬すぎてクラックが発生しやすくなる。
【００８１】
更に、本実施例の空気入りタイヤ１１では、タイヤ総幅に対するタイヤ接地幅の比率を０．７５〜０．９（７５％〜９０％）に設定することが好ましい。従って、特に表３の実施例１、１２、１３に示すように、タイヤ周方向の剛性を維持して十分な操縦安定性を確保することができると共に、縦ばね力を制限して乗心地を向上することができ、また、固有振動数を低減してロードノイズの発生を抑制することができる。
【００８２】
また、本実施例の空気入りタイヤ１１では、ビードベースラインからトレッド面１２までのタイヤ径方向最大高さを６５ｍｍ〜１５０ｍｍに設定することが好ましい。従って、特に表４の実施例１、１４、１５に示すように、耐久性を効果的に向上することができる。この場合、タイヤ径方向最大高さが６５ｍｍより小さいと、補強層３１の高さが絶対的な高さが小さくなって十分な耐久性の向上を図ることができず、タイヤ径方向最大高さが１５０ｍｍより大きいと、サイドウォール部Ｃの撓み量が大きくなってライナ摩耗が発生しやすくなる。
【００８３】
また、本実施例の空気入りタイヤ１１では、タイヤ断面方向の呼び幅を２５５インチ以上に設定することが好ましい。従って、特に表３の実施例１、１６に示すように、軽量化及び耐久性の向上を効果的に図ることができる。
【産業上の利用可能性】
【００８４】
以上のように、本発明に係る空気入りタイヤは、カーカス層をトレッド部からビード部まで延在してタイヤ幅方向内側から外側に折り返してベルト層まで延設すると共に、補強層をビード部におけるタイヤ幅方向内側からタイヤ幅方向外側に折り返して設けることで、軽量化及び耐久性の向上を図るものであり、いずれの種類の空気入りタイヤに用いても好適である。
【図面の簡単な説明】
【００８５】
【図１】本発明の一実施例に係る空気入りタイヤを表すタイヤ幅方向の概略断面図である。
【図２】本実施例の空気入りタイヤにおける要部概略断面図である。
【符号の説明】
【００８６】
１１  空気入りタイヤ
１２  トレッド面
１４  カーカス層
１４ａ  カーカス本体
１４ｂ  折り返し部
１５  ベルト層
１６  ベルトカバー
１８  サイドクッションゴム（ベルトクッション）
２０  ビードコア
２１  ビードフィラー
３１  補強層
Ａ  トレッド部
Ｂ  ショルダー部
Ｃ  サイドウォール部
Ｄ  ビード部
【図１】
0005104091.tif 000006
【図２】
0005104091.tif 000007